(57)【特許請求の範囲】
【請求項１】
シャフトと、前記シャフトを軸支する軸受と、前記シャフトを回転する駆動手段と、前記シャフトに従動する飾り体とを備えた飾り駆動装置であって、当該装置には、前記軸受と前記シャフトとの摩擦抵抗を調節する摩擦抵抗調節手段を設け、前記摩擦抵抗調節手段は、前記シャフトと前記軸受との当接面積を増減するものであることを特徴とする飾り駆動装置。
【発明の詳細な説明】
【０００１】
【発明の属する技術分野】
本発明は、飾り体を駆動する飾り駆動装置に関し、飾り体の動きをより安定化させるものである。
【０００２】
【従来の技術】
壁掛け時計や置き時計は、装飾性に優れたものが好まれる傾向にあり、この種の時計としては、飾り体を定常的に又は所定のタイミングで駆動する飾り駆動装置を備えたものがある。
【０００３】
例えば、飾り体を回転する飾り駆動装置としては、飾り体を設けたシャフトを軸受に軸支し、このシャフトをモータ等の駆動手段にて回転するものが一般的である。
【０００４】
【発明が解決しようとする課題】
ところで、前述した飾り駆動装置については、構成部品の寸法精度や組立て精度の観点から、駆動手段と飾り体とをシャフト１本で直結するのは好ましくないとされている。つまり、良好な駆動伝達を確保するには、駆動手段と飾り体との間に多少の遊びが必要となる。実際には、シャフトと駆動手段との間には歯車、カップリング、カム等の剛体要素が介在され、それらの間のクリアランスによって若干の遊びが設定されている。
【０００５】
しかしながら、このような遊びは、構成部品の寸法精度や組立て精度の許容性を向上する一方で、飾り体の挙動に悪影響をもたらす原因となる場合もある。例えば、上下方向に回転する飾り体は、遊び及び飾り体の微妙なアンバランスによって、駆動力が伝達され得ないフリーの状態となる瞬間が生じることもあり、ついては、これが回転斑を生じる訳である。
【０００６】
飾り体の動きについて、遊びによる斑を解消又は削減する方法としては、シャフトと軸受との摩擦抵抗をやや大きく設定することが考えられる。シャフトと軸受との摩擦抵抗は、過剰に大きい場合は弊害を伴うものの、これが程よい場合は飾り体の動きを安定化させることが可能である。但し従来においては、シャフトと軸受との摩擦抵抗も、結局は構成部品の寸法精度や組立て精度に大きく依存するため、満足に設定され得るものではなかった。
【０００７】
しかして、このような飾り駆動装置については、製品ごとに飾り体の動きに微妙な斑が生じることとなり、その製造現場においては、こうした斑を効率よく解消する構成が求められている。
【０００８】
本発明は、かかる事情に鑑みてなされたものであり、その目的は、飾り体の動きをより安定化させることができる飾り駆動装置を提供することである。
【０００９】
【課題を解決するための手段】
本願第１請求項に記載した発明は、シャフトと、前記シャフトを軸支する軸受と、前記シャフトを回転する駆動手段と、前記シャフトに従動する飾り体とを備えた飾り駆動装置であって、当該装置には、前記軸受と前記シャフトとの摩擦抵抗を調節する摩擦抵抗調節手段を設け、前記摩擦抵抗調節手段は、前記シャフトと前記軸受との当接面積を増減する構成の駆動装置である。このような構成によると、摩擦抵抗調節手段にてシャフトと軸受との摩擦抵抗をこれらの当接面積を増減して調節することにより、飾り体の動きをより安定化させることが可能となる。
【００１２】
図１乃至図５に示す本例の飾り駆動装置１は、時計を装飾するものであり、時計の文字板たる第１プレート１１及びその裏側に支持された第２プレート１２に対して装着されている（図１参照）。
【００１３】
この駆動装置１は、シャフト２００と、シャフト２００を軸支する軸受３００と、シャフト２００を回転する駆動手段４００と、シャフト２００に従動する飾り体５００とを備え、薄型の飾り体５００を第１プレート１１の正面側において上下方向に回転する構成となっている。
【００１４】
シャフト２００は、第１プレート１１及び第２プレート１２の間に水平に架設されている。また、シャフト２００の先端部は、第１プレート１１の正面側に突出されており、飾り体５００は、シャフト２００の先端部に装着されたギボシ５２０にて支持されている。また、シャフト２００と飾り体５００との間には、リング状のスリップ部材５１０が装着されており、外部から飾り体５００に対して過大な負荷がかかると、飾り体５００はシャフト２００に対してスリップする。例えば、飾り体５００をつかんでこれを強制的に回転しても、飾り駆動装置１の破損は未然に防止される。
【００１５】
本例の軸受３００は、第１プレート１１に設けられた通孔３１０と、第１プレート１１から第２プレート１２に向かって突出した突部３２０と、互いに嵌合されるとともに突部３２０にねじ止めされた一対の嵌合部材３３０，３４０と、一対の嵌合部材３３０，３４０の間に回転可能に保持された円筒状の操作子３５０とを備え、通孔３１０及び操作子３５０がシャフト２００に当接してこれを支える構成となっている。シャフト２００は、通孔３１０及び操作子３５０に貫通されており、自らの軸を中心に回転される。また操作子３５０は、後に詳述するように、これを任意に回転操作することにより、シャフト２００との摩擦抵抗を調節するものである。
【００１６】
駆動手段４００は、モータ及び減速ギアをケースの内部に配置するとともに、その出力軸４１０をケースの外部に突出してなるユニットであり、第２プレート対して、出力軸４１０を貫通する状態で固定されている。尚、図例のユニットは、時計の指針を駆動するムーブメントを流用したものである。
【００１７】
本例の場合、シャフト２００と駆動手段４００とは、リンク機構を介して連結されており、シャフト２００は、駆動手段４００の出力に伴い、リンク機構の作用にて回転する。
【００１８】
リンク機構は、駆動手段４００の出力軸４１０に設けられた駆動側リンク部材４２０と、シャフト２００の基端部に設けられた従動側リンク部材２１０とを係合して構成されている。駆動側リンク部材４２０は、出力軸４１０と同期回転するボス４２１を有し、従動側リンク部材２１０は、ボス４２１を係止する孔部２１１を有する（図２参照）。また、ボス４２１と孔部２１１との間には、所定のクリアランスが設けられている。つまり、駆動手段４００と飾り体５００との間には、かかるクリアランスによって若干の遊びが設定されている。
【００１９】
更に、本例の飾り駆動装置１は、軸受３００とシャフト２００との摩擦抵抗を調節する摩擦抵抗調節手段を設けたものである。摩擦抵抗調節手段は、軸受３００とシャフト２００とを組立てた後に、それらの摩擦抵抗を調節して飾り体５００の動きをより安定化させるものである。本例の場合、具体的には、操作子３５０を回転操作してシャフト２００と軸受３００との当接面積を増減することにより、シャフト２００と軸受３００との摩擦抵抗を調節する構成となっている。
【００２０】
操作子３５０は、樹脂を成形してなる円筒状の部材であり、シャフト２００を貫通する貫通孔３５１と、一対の嵌合部材３３０，３４０の間に挟持されるフランジ部３５２と、一対の嵌合部材３３０，３４０の隙間から食み出したレバー体３５３とを備え、レバー体３５３を指で移動することにより、シャフト２００の軸を中心に回転操作される（図３参照）。尚、図３（ｂ）中の矢印は、レバー体３５３の移動範囲を示している。
【００２１】
この操作子３５０について、貫通孔３５１の内周面は、楕円形を呈する段部３５１ａを境にして、シャフト２００に対する当接面と非当接面とに分割されいる（図４参照）。そして、操作子３５０を回転操作すれば、貫通孔３５１の内周面及びシャフト２００について、実際に当接する面が漸次に増加又は減少し、その結果、シャフト２００と軸受３００との摩擦抵抗が調節される。
【００２２】
つまり、シャフト２００の先端部には飾り体５００の荷重が加わるので、通孔３１０に対しては下向きに力が掛り、操作子３５０に対しては上向きに力が掛る。故に、シャフト２００と軸受３００との摩擦抵抗は、貫通孔３５１の内周面上部における当接面が増加すると大きくなり、減少すると小さくなる。
【００２３】
尚、操作子３５０については、貫通孔３５１の内周面とシャフト２００との当接面を段階的に増減するもの（図５参照）を用いてもよい。貫通孔３５１の内周面は、所定の形状を呈する段部３５１ａを境にして、シャフト２００に対する当接面と非当接面とに分割されている。図例した段部３５１は、曲線及び直線を交互に連結してなる環状形を呈するものである。
【００２４】
本例の構成によると、摩擦抵抗調節手段にてシャフト２００と軸受３００との摩擦抵抗を調節することにより、飾り体５００の動きをより安定化させることができる。すなわち、駆動手段４００と飾り体５００との間に多少の遊びがあると、これが飾り体５００の挙動に悪影響をもたらす場合があるが、本例によれば、各構成部品を組立てた後に、シャフト２００と軸受３００との摩擦抵抗を調節することで、そのような不都合を満足に回避することができる。
【００２５】
次に、本発明の第２具体例を図６乃至図８に基いて説明する。
【００２６】
本例の場合、軸受３００には、シャフト２００と当接する弾性体３６０を設けている。更に、摩擦抵抗調節手段は、シャフト２００に対する弾性体３６０の当接圧を増減することにより、シャフト２００と軸受３００との摩擦抵抗を調節するものである（図６参照）。尚、その他の構成は、前述した具体例と同様であるため、共通する部材には同一の符号を付すとともに、説明は省略する。
【００２７】
弾性体３６０は、その基端部を一対の嵌合部材３３０，３４０の間に挟持されるとともに、その先端部をシャフト２００に当接したものである。
【００２８】
回転操作子３５０は、弾性体３６０の先端部をシャフト２００に押し付ける所定の形状の押圧部３５４を備え、弾性体３６０の先端部は、シャフト２００と押圧部３５４との間に弾性変形した状態で挟まれている。（図７及び図８参照）。尚、図７（ｂ）中の矢印は、レバー体３５３の移動範囲を示している。
【００２９】
そして、回転操作子３５０を回転操作すると、押圧部３５４とシャフト２００との間隔Ｘが緩やかに変動して、シャフト２００に対する弾性体３６０の押圧力が漸次に増加又は減少する。シャフト２００と軸受３００との摩擦抵抗は、弾性体３６０の押圧力が増加すると大きくなり、減少すると小さくなる。
【００３０】
このように、シャフト２００と軸受３００との摩擦抵抗は、シャフト２００に対する弾性体３６０の当接圧を増減することによって調節することもできる。
【００３１】
【発明の効果】
以上説明したように、本願発明は、シャフトと、前記シャフトを軸支する軸受と、前記シャフトを回転する駆動手段と、前記シャフトに従動する飾り体とを備えた飾り駆動装置であって、当該装置には、前記軸受と前記シャフトとの摩擦抵抗を調節する摩擦抵抗調節手段を設け、前記摩擦抵抗調節手段は、前記シャフトと前記軸受との当接面積を増減する構成の駆動装置である。このような構成によると、摩擦抵抗調節手段にてシャフトと軸受との摩擦抵抗をこれらの当接面積を増減して調節することにより、飾り体の動きをより安定化させることができる。
【図面の簡単な説明】
【図１】  本発明の具体例に係り、飾り駆動装置を示す側面断面図である。
【図２】  本発明の具体例に係り、（ａ）はリンク機構を示す正面図、（ｂ）はその側面図である。
【図３】  本発明の具体例に係り、（ａ）は摩擦抵抗調節手段を示す正面図、（ｂ）は操作子の可動範囲を示す正面図である。
【図４】  本発明の具体例に係り、（ａ）は操作子を示す正面図、（ｂ）は（ａ）のＡ−Ａ´断面図である。
【図５】  本発明の具体例に係り、（ａ）は操作子を示す正面図、（ｂ）は（ａ）のＡ−Ａ´断面図、（ｃ）は（ａ）のＢ−Ｂ´断面図、（ｄ）は（ａ）のＣ−Ｃ´断面図である。
【図６】  本発明の具体例に係り、飾り駆動装置を示す側面断面図である。
【図７】  本発明の具体例に係り、（ａ）は摩擦抵抗調整手段を示す正面図、（ｂ）は操作子の可動範囲を示す正面図である。
【図８】  本発明の具体例に係り、（ａ）は操作子を示す正面図、（ｂ）は（ａ）のＡ−Ａ´断面図である。
【符号の説明】
１      飾り駆動装置
１１      第１プレート
１２      第２プレート
２００      シャフト
２１０      従動側リンク部材
２１１      孔部
３００      軸受
３１０      通孔
３２０      突部
３３０      嵌合部材
３４０      嵌合部材
３５０      操作子
３５１      貫通孔
３５１ａ      段部
３５２      フランジ部
３５３      レバー体
３５４      押圧部
３６０      弾性体
４００      駆動手段
４１０      出力軸
４２０      駆動側リンク部材
４２１      ボス
５００      飾り体
５１０      スリップ部材
５２０      ギボシ
【図１】
0003734451.tif 000002
【図２】
0003734451.tif 000003
【図３】
0003734451.tif 000004
【図４】
0003734451.tif 000005
【図５】
0003734451.tif 000006
【図６】
0003734451.tif 000007
【図７】
0003734451.tif 000008
【図８】
0003734451.tif 000009